(57)【特許請求の範囲】
【請求項１】
スカート部とボウル部とリム部とからなる合成樹脂製の便器において、スカート部の上端部の内周縁部に上側段部と下側段部とからなる接合段部を階段状に形成し、ボウル部の上端縁部に上方に突出する支持突片と該支持突片の頂面からやや下方に位置する外周面から外方に突出する接合突片とを形成し、リム部の下面に下方に突出する溶着突片を形成し、スカート部の下側段部にボウル部の接合突片を載置固着することによってスカート部の上端部とボウル部の支持突片との間に有底溝部を形成し、更に、リム部の溶着突片を該有底溝部に振動溶着してなる便器であって、上記スカート部、上記ボウル部、及び上記リム部は該有底溝部で互いに固着されていることを特徴とする便器。
【請求項２】
スカート部とボウル部とリム部とからなる合成樹脂製の便器において、スカート部の上端部の内周縁部に上側段部と下側段部とからなる接合段部を階段状に形成し、ボウル部の上端縁部に上方に突出する支持突片と該支持突片の頂面からやや下方に位置する外周面から外方に突出する接合突片とを形成し、リム部の下面に下方に突出する溶着突片を形成し、スカート部の下側段部にボウル部の接合突片を載置固着すると共に、スカート部の上端部とボウル部の支持突片との間に有底溝部を形成し、更に、リム部の溶着突片を有底溝部に振動溶着してなる便器であって、
上記スカート部の下側段部に位置決め係合部を形成すると共に、ボウル部の接合突片の下面に位置決め係合部を形成し、該両位置決め係合部を互いに係合させたことを特徴とする便器。
【請求項３】
上記スカート部、上記ボウル部、及び上記リム部の各々は、上記有底溝部以外の部分では互いに振動溶着による固着はされておらず、上記有底溝部における一箇所のみで振動溶着による固着がされていることを特徴とする請求項１に記載の便器。
【発明の詳細な説明】
【技術分野】
【０００１】
本願発明は、主としてスカート部とボウル部とリム部との三部材からなる合成樹脂製の便器に係り、特に、当該三部材を簡単に一体化し且つ十分な強度を得ることのできる便器に関するものである。
【背景技術】
【０００２】
一般的な水洗便器は全体が陶磁器質で一体に形成されていたが、成形時に変形や割れが生じやすく、製品形状を複雑にできないという問題があった。
【０００３】
また全体が合成樹脂で一体に形成された簡易便器は存在していたが、この一体型簡易便器は金型で成形するため、ボウル部内面を洗浄する水が流れる洗浄水流路をリム部やボウル部に形成した便器は製造しにくいという問題があった。
【０００４】
このため、下記特許文献１に示されているように、合成樹脂製の便器を構成するスカート部とボウル部とリム部とを予め分割形成した後に、これら三部材を接着剤等で互いに固着して一体型にした便器があった。
【特許文献１】特開２００７−２２４５９３号公報
【発明の開示】
【発明が解決しようとする課題】
【０００５】
しかしながら、上記従来例である便器にあっては、当該三部材の接合箇所が複数箇所あるため、分割体同士を設計どおりにぴったりと且つ強固に同時固着し水漏れ等の原因となる隙間のない便器にするには高度な技術と多くの製造時間を必要としていた。
【０００６】
本願の図４は、上記従来の三部材を固着するときの位置関係を示す部分断面斜視図である。同図に示すように、従来当該三部材を互いに固着して便器を組み立てるとき、スカート部ａとリム部ｂとの接合箇所、リム部ｂとボウル部ｃの接合箇所の少なくとも２箇所を固着するためそれぞれの部材の位置決め専用治具が用いられていたが強度が十分にでない場合があった。特に、上記接合箇所を接着剤で固着するときは各箇所を同時に接着固着する必要があり各部材を隙間なく設計どおりに正確に固着するには高度の技術を要していた。
【０００７】
本願発明は、上記背景技術に鑑みてなされたものであり、その目的は、スカート部とボウル部とリム部との三部材からなる合成樹脂製の便器であって、簡単強固に且つ正確に組み立て固着できる便器を提供することである。
【課題を解決するための手段】
【０００８】
上記課題を解決するために、本願請求項１記載の発明に係る便器は、スカート部とボウル部とリム部とからなる合成樹脂製の便器において、スカート部の上端部の内周縁部に上側段部と下側段部とからなる接合段部を階段状に形成し、ボウル部の上端縁部に上方に突出する支持突片と該支持突片の頂面からやや下方に位置する外周面から外方に突出する接合突片とを形成し、リム部の下面に下方に突出する溶着突片を形成し、スカート部の下側段部にボウル部の接合突片を載置固着することによってスカート部の上端部とボウル部の支持突片との間に有底溝部を形成し、更に、リム部の溶着突片を該有底溝部に振動溶着してなる便器であって、上記スカート部、上記ボウル部、及び上記リム部は該有底溝部で互いに固着されていることを特徴としている。
【０００９】
本願請求項２記載の発明は、スカート部とボウル部とリム部とからなる合成樹脂製の便器において、スカート部の上端部の内周縁部に上側段部と下側段部とからなる接合段部を階段状に形成し、ボウル部の上端縁部に上方に突出する支持突片と該支持突片の頂面からやや下方に位置する外周面から外方に突出する接合突片とを形成し、リム部の下面に下方に突出する溶着突片を形成し、スカート部の下側段部にボウル部の接合突片を載置固着すると共に、スカート部の上端部とボウル部の支持突片との間に有底溝部を形成し、更に、リム部の溶着突片を有底溝部に振動溶着してなる便器において、スカート部の下側段部に位置決め係合部を形成すると共に、ボウル部の接合突片の下面に位置決め係合部を形成し、該両位置決め係合部を互いに係合させたことを特徴としている。
【発明の効果】
【００１０】
本願請求項１記載の発明に係る便器においては、便器を構成するスカート部、ボウル部、リム部の主要三部材を組み立て固着するとき、既に一体に固着されたスカート部とボウル部とにリム部を振動溶着するものであるから、当該振動溶着箇所が一箇所となり、しかも、該振動溶着作業は上記固着作業とは時間的にずらして行うことができるので、該主要三部材の固着組み立て作業を寸法精度よく正確に行うことができる。
【００１１】
また、上記の如く、予めスカート部とボウル部とを固着するから、リム部に関係なく固着することができ、当該両者の位置決めが容易になる。
【００１２】
更に、既に固着されたスカート部とボウル部とにリム部を固着するとき、スカート部の上端部とボウル部の支持突片と間に形成された有底溝部に、リム部の溶着突片を嵌入当接させた状態で当該両者を振動溶着するものであるから、振動溶着された後のリム部はスカート部の上端部、ボウル部の支持突片および有底溝部に位置決め固着され、従って、該３部材の相対的位置関係が正確、且つ、強固になる。
【００１３】
また、リム部の溶着突片は溶着した後は有底溝部内に留まるから接合部の外表面にいわゆるバリ等が発生せず当該接合部の外観も綺麗に仕上がるのである。
【００１４】
また、当該主要三部材の接合部はその接合面が凹凸面であり、従来見られた平面接合（図４参照）に比較して、その接合強度が大きく構造が安定するのである。
【００１５】
更にまた、当該主要三部材は、一箇所で互いに固着されているから、強度的に安定しその剛性も大きくなる。
【００１６】
本願請求項２記載の発明に係る便器は、特に、スカート部の下側段部に位置決め係合部を形成すると共に、ボウル部の接合突片の下面にも位置決め係合部を形成し、該両位置決め係合部を互いに係合させた状態で両者を固着するものであるから、接着剤による固着状態が安定するまで位置ずれが起こらず精度の良い固着ができる。
【００１７】
また、両位置決め係合部が互いに係合しているから、リム部の溶着突片を有底溝部に振動溶着するときにおいて、スカート部とボウル部との固着状態が悪化することを防止できる。
【００１８】
更に、経年変化や不慮の衝撃等で接着力が劣化しても、該両位置決め係合部が互いに係合しているから、長年に亘ってスカート部とボウル部との間に位置ずれが起こりにくい。
【発明を実施するための最良の形態】
【００１９】
以下本願発明に係る躯体の断熱構造の実施の形態について図面を参照して説明する。図１は本願発明の便器の概略を示す組み立て側断面図、図２は本願発明の便器の第一の実施の形態の組み立て工程説明図である。図において、１は合成樹脂製の便器であり、該便器１はスカート部２とボウル部３とリム部４との三部材を固着一体化して形成したものである。
【００２０】
スカート部２、ボウル部３およびリム部４の接合部における固着前の位置関係を、部分断面図で図２（イ）に示す。同図に示すように、スカート部２の上端部２１の内周縁部には接合段部２２が階段状の形成されている。該接合段部２２は上側段部２２１と下側段部２２２とからなっている。
【００２１】
ボウル部３の上端縁部に上方に突出する支持突片３１が形成され、該支持突片３１の頂面からやや下方に位置する外周面から外方に突出する接合突片３２が形成されている。リム部４の下面に下方に突出する溶着突片４１が形成されている。
【００２２】
当該三部材の固着組み立て順序として最初に、図２（ロ）に示す如く、スカート部２の下側段部２２２にボウル部３の接合突片３２を載置し接着剤等で固着する。予めスカート部２とボウル部３とを固着するから、リム部４に関係なく固着することができ、当該両者の位置決めが容易になる。このとき同図に示す如く、有底溝部５が形成される。この有底溝部５はスカート部２の上端部２１とボウル部３の支持突片３１とスカート部２の上側段部２２１とボウル部３の接合突片３２の上面とで形成されその横断面は略コ字形となっている。
【００２３】
スカート部２とボウル部３とが固着された後、リム部４の溶着突片４１を上記有底溝部５に嵌入当接し該溶着突片４１を振動溶着すると、図２（ハ）に示す如く該溶着突片４１が溶けて該有底溝部５内に充満する。このときリム部４の溶着突片４１の両側のリム部裏面も溶着してスカート部２の上端部２１とボウル部３の支持突片３１に固着し支承される。
【００２４】
当該接合部はその接合面が凹凸面であり、その接合強度が大きく構造が安定する。溶着したリム部４の溶着突片４１は有底溝部５内に留まり接合部の外表面にはいわゆるバリ等が発生しない。
【００２５】
上記の如く、スカート部２とボウル部３との固着とリム部４の振動溶着とを時間的にずらして行うことにより該主要三部材の固着組み立て作業を正確に行うことができる。また、当該主要三部材は、一箇所で互いに固着されているから、強度的に安定しその剛性も大きくなる。
【００２６】
図３は本願発明の便器の第二の実施の形態の組み立て工程説明図である。該第二の実施の形態は第一の実施の形態に加えて、スカート部２の接合段部２２の下側段部２２２の上面に先細三角形状のＶ溝からなる位置決め係合部２２３を形成し、ボウル部３の接合突片３２の下面に細三角形状の山形凸部からなる位置決め係合部３２１を形成し、該下側段部２２２に接合突片３２を載置して固着するときそれぞれの位置決め係合部２２３、３２１が接着剤を介して嵌合固着されるようにしたものである。この構成によって接着剤による固着状態が安定するまでスカート部２とボウル部３との相対的位置ずれが起こらないようにしている。また、リム部４の溶着突片４１を有底溝部５に振動溶着するときにおいても、スカート部２とボウル部３との相対移動を抑止している。更に、位置決め係合部２２３、３２１の嵌合により該接合部が構造的に安定し強固になっている。
【００２７】
上記それぞれの位置決め係合部２２３、３２１の凹凸関係は逆にしてもよく、またその形状はＶ溝や山形凸部に限定されるものではない。
【００２８】
スカート部２、ボウル部３、リム部４等の部材は射出成形、或いはサンドイッチ成形により成形された樹脂成形品である。成形品部材としては主に熱可塑性樹脂が用いられる。例えば、耐薬品性のあるＰＰや比較的強度があるアクリル系樹脂、補強材入りＡＢＳやＰＢＴ等が用いられる。コスト節減のため上記部材の再生材を用いることもできる。
【００２９】
また、上記三部材をサンドイッチ成形するときそのコア材には発泡剤を入れて軽量化し、コスト削減をすることもできる。このときの成形部材の肉厚は２〜３０ｍｍとするのが好ましい。
【００３０】
更に、上記三部材は一般に大型であるから、その内部の残留応力を除去するためアニールをすることが好ましい。
【００３１】
スカート部２、ボウル部３、リム部４が一体化された後には、その表面品質を向上させるため、公知のハードコート材をその表面にコーティングすることが好ましい。
【図面の簡単な説明】
【００３２】
【図１】本願発明の便器の概略を示す組み立て側断面図である。
【図２】本願発明の便器の第一の実施の形態の組み立て工程説明図である。
【図３】本願発明の便器の第二の実施の形態の組み立て工程説明図である。
【図４】従来の合成樹脂製便器の接合部における部分的断面斜視図である。
【符号の説明】
【００３３】
１      便器
２      スカート部
２１    スカート部の上端部
２２    スカート部の接合段部
２２１  接合段部の上側段部
２２２  接合段部の下側段部
２２３  スカート部の位置決め係合部
３      ボウル部
３１    ボウル部の支持突片
３２    ボウル部の接合突片
３２１  ボウル部の位置決め係合部
４      リム部
４１    リム部の溶着突片
５      有底溝部
【図１】
0005104388.tif 000002
【図２】
0005104388.tif 000003
【図３】
0005104388.tif 000004
【図４】
0005104388.tif 000005